(57)【要約】      （修正有）【課題】使用時間が長くて、使用が便利になるカード装置を提供する。【解決手段】保持部材と、前記保持部材に対して回転可能な回転部材と、前記保持部材と回転部材とを連接するためのヒンジ構造と、前記保持部材に取付けられる基板と、前記基板に配置される第１対接界面と第２対接界面とを含むカード装置において、前記回転部材には、スリットと、前記スリットに摺動可能に収容されるスライド部材とを設けられ、前記スライド部材が前記第２対接界面に当接または分離できる。これによって、スライド部材と第２対接界面との間の摩擦が減少され、第２対接界面が保護でき、カード装置の使用時間が延長できる。【選択図】図１
0003130882.tif 000002
【実用新案登録請求の範囲】
【請求項１】
保持部材と、
前記保持部材に対して回転可能な回転部材と、
前記保持部材と回転部材とを連接するためのヒンジ構造と、
前記保持部材に取付けられる基板と、
前記基板に配置される第１対接界面と第２対接界面と、
を含むカード装置において、
前記回転部材には、スリットと、前記スリットに摺動可能に収容されるスライド部材とが設けられ、前記スライド部材が前記第２対接界面に当接または分離できることを特徴とするカード装置。
【請求項２】
前記スライド部材には第２対接界面に当接または分離できる水平部を設けることを特徴とする請求項１記載のカード装置。
【請求項３】
前記スライド部材は、本体部と、前記本体部から延出するように形成される操作部と、前記本体部から突出するように形成される凸状部とを有することを特徴とする請求項１に記載のカード装置。
【請求項４】
前記スライド部材の凸状部には、前記第２対接界面に当接または分離できる水平部と、該水平部から下向きに延出するように形成される垂直部と、前記水平部と垂直部からなる収容部と、が設けられ、前記収容部は、前記本体部の先端面を突出する係合面を有することを特徴とする請求項３に記載のカード装置。
【請求項５】
前記垂直部は、内斜面と外斜面とを有し、前記回転部材には前記スリットに突出する凸部が設けられ、該凸部は、前記内斜面と外斜面とにそれぞれ係合するための第１斜面と第２斜面とを有することを特徴とする請求項４に記載のカード装置。
【請求項６】
前記保持部材は第１ベース体を有し、前記回転部材は第２ベース体を有し、前記スリットが前記回転部材の第２ベース体に設けられ、前記基板は前記第１ベース体に取付けられる基部と、前記第２ベース体に取付けられる延出部とを有することを特徴とする請求項２に記載のカード装置。
【請求項７】
前記基板の延出部は、上斜面を有する末端部が設けられ、前記スライド部材の水平部には前記上斜面に係合できる接触面が設けられていることを特徴とする請求項６に記載のカード装置。
【請求項８】
前記第１対接界面はＳＤカードの標準の対接界面であり、第２対接界面はＵＳＢプラグの対接界面であることを特徴とする請求項１乃至７のいずれかの一項に記載のカード装置。
【考案の詳細な説明】
【技術分野】
【０００１】
本発明は、カード装置に関し、特に、多種の機能を有するカード装置に関するものである。
【背景技術】
【０００２】
従来技術として特許文献１に示すように、従来のカード装置は、一端に形成される第１対接界面と、他端に形成され、前記第１対接界面に対向した第２対接界面と、前記第２対接界面に係合し覆っているカバーと、を含む。第１対接界面はＳＤカードの標準の対接界面であり、第２対接界面はＵＳＢプラグの対接界面である。カード装置の第１対接界面を使用する際に、第１対接界面が第１対接界面を嵌合できる電子設備のＳＤカードの挿入口に挿入されることにより、該カード装置の第１対接界面と電子設備との間に電気的な接続を達成でき、更に、カード装置の第１機能を実現できる。また、第２対接界面を使用する際に、まず、第２対接界面に係合し覆うカバーをカード装置から外すと、第２対接界面を露出させ、第２対接界面が電子設備のＵＳＢソケットの挿入口に挿入することにより、該カード装置の第２対接界面と電子設備との間に電気的な接続を達成でき、更に、カード装置の第２機能を実現できる。
【特許文献１】中国実用新案第２７５５６８３号明細書
【考案の開示】
【考案が解決しようとする課題】
【０００３】
第１機能においてのカード装置を前記電子設備のＳＤカードの挿入口から外そうと思う際に、使用者が前記カバーを押圧し操作することにより、カード装置の第１対接界面を電子設備のＳＤカードの挿入口から外れる。しかしながら、使用時間が長くなると、前記カバーと第２対接界面との間の係合が安定しない恐れがあるので、第１機能においてのカード装置を前記電子設備から外そうと思う際に、前記カバーだけが抜き出されるが、カード装置がまだ電子設備から外れない恐れがあった。また、前記カバーがカード装置の第２対接界面に堅固に係合するので、使用時間が長くなると、カード装置の第２対接界面が損傷する恐れがあるので、カード装置の使用時間の影響が懸念される。上述した欠点を鑑みて、新型のカード装置を開発することが必要である。
【０００４】
本発明は、長い使用時間に耐え、容易に利用可能なカード装置を提供することを目的とする。
【課題を解決するための手段】
【０００５】
本考案のカード装置は、保持部材と、前記保持部材に対して回転可能な回転部材と、前記保持部材及び回転部材を連接するためのヒンジ構造と、前記保持部材に取付けられる基板と、前記基板に配置される第１対接界面及び第２対接界面と、を含むカード装置であって、前記回転部材には、スリットと、前記スリットに摺動可能に収容されるスライド部材とが設けられ、前記スライド部材が前記第２対接界面に当接または分離できることを特徴とする。
【考案の効果】
【０００６】
従来技術に比べ、本考案は以下の利点を有する。カード装置の回転部材にスリットに摺動可能なスライド部材が設けられ、該スライド部材が第２対接界面に当接または分離できることによって、スライド部材と第２対接界面との間の摩擦が減少され、第２対接界面が保護できるので、カード装置の使用時間が延長できる。
【考案を実施するための最良の形態】
【０００７】
以下、図１〜図１０を参照して、本考案のカード装置の好ましい実施形態を説明する。該カード装置１００は、保持部材１と、保持部材１内に固持される基板１２と、保持部材１に対して回転できる回転部材２と、前記保持部材１と回転部材２とを連接するためのヒンジ構造３と、を含む。
【０００８】
前記保持部材１は、第１ベース体１１と、前記第１ベース体１１に係合する第１カバー１３とを含む。第１ベース体１１は、第１上壁１１１と第１下壁１１２と左右側壁１１３、１１４とを有する。前記第１上壁には第１凹部１１１１が形成され、その第１凹部１１１１の先端には複数の第１通溝１１１２がそれぞれ並行に離隔配置され、第１凹部１１１１の後端の両側に突出部１１１３がそれぞれ形成される。前記各突出部１１１３の中央には十字形状に形成された第１係合溝１１１４がそれぞれ形成される。前記第１下壁１１２の前記第１通溝１１１２に対応した箇所には、凸状リブ１１２１がそれぞれ形成される。前記左右側壁１１３、１１４には開口部１１３１、１１４１がそれぞれ設けられる。
【０００９】
前記第１カバー１３の形状は第１ベース体１１に対応して、第１頂壁１３１と、第１底壁１３２と、両側壁１３３、１３４とを有する。第１頂壁１３１の後端の両側には、前記第１ベース体１１の第１係合溝１１１４に対応した十字形状に形成された通孔１３１１がそれぞれ形成される。前記第１底壁の通孔１３１１の間に対応した箇所には、弧状に形成された斜面１３２１と複数の凸状リブ１３２２とがそれぞれ形成される。前記両側壁１３３、１３４には前記第１ベース体１１の左右側壁１１３、１１４の開口部１１３１、１１４１に対応した凹部１３３１、１３４１がそれぞれ形成される。
【００１０】
前記基板１２は、前記第１ベース体１１の第１凹部１１１１に保持される基部１２１と、基部１２１から延出し、且つ、前記保持部材１の外方に突出するように形成される延出部１２２とを有しており、前記基部１２１は頂面にメモリーチップ１２１１が設けられ、底面に複数の第１導電パッド１２１２が間隔し並設される。前記延出部１２２が矩形形状を呈し、前記基部１２１に連接する一端に弧状に形成された斜面１２２１が形成され、該延出部１２２の底面に複数の第２導電パッド１２２２が間隔し並設され、延出部１２２の他端に末端部１２３が形成され、該末端部１２３は面取されることにより、上斜面１２３１と下斜面１２３２とが形成される。また、前記第１導電パッド１２１２と第２導電パッド１２２２とが前記メモリーチップ１２１１に電気的に接続している。
【００１１】
本実施形態において、前記第１ベース体１１と、基板１２の基部１２１と第１導電パッド１２１２と第１カバー１３とは、第１対接界面を形成し、該第１対接界面はＳＤカードの標準の対接界面である。前記基板１２の延出部１２２と第２導電パッド１２２２とは、第２対接界面を形成し、該第２対接界面はＵＳＢプラグである。
【００１２】
図４乃至図６を参照すると、前記回転部材２は、第２ベース体２１と、該第２ベース体２１に取付けられるスライド部材２２と、第２ベース体２１に係合する第２カバー２３とを有する。前記第２ベース体２１は、第２上壁２１１と第２下壁２１２と、を含む。前記第２上壁２１１の略中央に並行に離隔配置された複数の第２通溝２１１２を有する第２凹部２１１１が形成され、前記第２凹部２１１１の先端部の両側に突出部２１１３がそれぞれ形成され、前記第２凹部の後端部にスリット２１１６が形成される。前記突出部２１１３の略中央に前記保持部材１の第１係合溝１１１４の構造に対応した十字形状に形成された第２係合溝２１１４が形成され、該第２係合溝２１１４の後端に位置決め孔２１１５が形成される。また、前記スリット２１１６はＬ字形状に形成され、第１当接壁２１１７と第２当接壁２１１８を有する。図９に示す、前記ベース体２１の第２上壁２１１に前記スリット２１１６に突出する凸部２１３が形成され、該凸部２１３はスライド部材２２に係合するための第１斜面２１３１と第２斜面２１３２を有する。
【００１３】
図７を参照すると、前記スライド部材２２は略Ｌ字形状に形成され、頂面２２１１と底面２２１２と先端面２１１３とを有する本体部２２１と、本体部２２１の一端から垂直に延出するように形成される操作部２２２と、本体部２２１の他端から前向きに突出するように形成される凸状部２２３とを有する。凸状部２２３は水平部２２３１と水平部２２３１から垂直に延出するように形成される垂直部２２３３と、前記水平部２２３１と垂直部２２３３とからなる収容部２２３５と、を有する。前記水平部２２３１には、収容部２２３５に向かって傾斜するように形成される接触面２２３２（図８に示す）が設けられている。前記垂直部２２３３は、前記第２ベース体２１の第１斜面２１３１に係合するための内斜面２２３４と、前記第２ベース体２１の第２斜面２１３２に係合するための外斜面２２３７と、を有する。前記収容部２２３５には、前記本体部２２１の先端面２１１３を突出させることにより階段状に形成され、前記基板１２の末端部１２３に係合するための係合面２２３６を有する。
【００１４】
図４及び図５を参照すると、前記第２カバー２３は、略Ｕ字形状に形成され、平板状に形成された連接部２３２と、連接部２３２の両端からそれぞれ同じ方向に向かって延出するように形成される延出アーム２３１とを有する。連接部２３２に前記スライド部材２２を係合し収容するための係合溝２３２１が形成され、前記延出アーム２３１に前記第２ベース体２１の第２係合溝２１１４に対応した十字形状に形成された通孔２３１１と、前記位置決め孔２１１５に係合するための位置決め柱２３１２とが設けられる。
【００１５】
図６を参照すると、前記ヒンジ構造３は楕円形状に形成された主体部３１と、主体部３１の両側からそれぞれ延出するように形成され、前記第１係合溝１１１４に係合し収容するための第１係合軸部３２と前記第２係合溝２１１４に係合し収容するための第２係合軸部３３とを有する。
【００１６】
図１乃至図８を参照すると、取付ける際に、前記ヒンジ構造３の第１係合軸部３２と第２係合軸部３３が前記第１ベース体１１の第１係合溝１１１４と第２ベース体２１の第２係合溝２１１４にそれぞれ係合し収容することにより、前記ヒンジ構造３を介して第１ベース体１１と第２ベース体２１とが連接され、前記ヒンジ構造３の第１係合軸部３２と第２係合軸部３３は自身を軸として回転できる。次に、前記基板１２を第１ベース体１１と第２ベース体２１に取付け、基板１２の基部１２１を第１ベース体１１の第１凹部１１１１内に収容させ、基板１２の延出部１２２を第２ベース体２１の第２凹部２１１１に収容させる。また、基板１２の第１導電パッド１２１２と第２導電パッド１２２１は、第１ベース体１１の第１通溝１１１２と第２ベース体２１の第２通溝２１１２にそれぞれ収容して第１下壁１１２と第２下壁２１２からそれぞれ露出している。
【００１７】
次に、スライド部材２２を第２ベース体２１のスリット２１１６に収容し、スライド部材２２の操作部２２２が第２ベース体２１に突出し、使用者が前記操作部２２２を操作することによってスライド部材２２をスリット２１１６内で摺動させる。最後に、第１カバー１３と第２カバー２３とは前記第１ベース体１１と第２ベース体２１とにそれぞれ取付けられ、これにより、第１カバー１３の通孔１３１１と第２カバー２３の通孔２３１１とが前記ヒンジ構造３にそれぞれ係合し、第１カバー１３の斜面１３２１が基板１２の斜面１２２１に対応して係合され、第１カバー１３の凸状リブ１３２２が前記第１ベース体１１に当接し、第２カバー２３の位置決め柱２３１２が第２ベース体２１の位置決め孔２１１５に係合することにより、第２カバー２３が第２ベース体２１に保持される。このとき、前記第２カバー２３の係合溝２３２１に前記スライド部材２２が収容され、前記第１カバー１３の凹部１３３１、１３４１が前記第１ベース体１１の開口部１１３１、１１４１にそれぞれ対応するので、カード装置１００のスイッチ部材（図示せず）が第１ベース体１１の開口部１１４１と第１カバー１３の凹部１３４１との間でスライドできる。
【００１８】
図１乃至図１０を参照すると、使用する際に、使用者がスライド部材２２をスリット２１１６の第１当接壁２１１７に当接させ、このとき、スライド部材２２の水平部２２３１の接触面２２３２が前記基板１２の上斜面１２３１に当接し、スライド部材２２の外斜面２２３７が第２ベース体２１の第２斜面２１３２に当接することにより、スライド部材２２が保持される。このとき、前記回転部材２が前記保持部材１に対して回転できず、且つ、前記第２対接界面即ちＵＳＢプラグが前記第２ベース体２１に係合し保持される。カード装置１００の第１対接界面即ちＳＤカードの標準の対接界面が電子設備のＳＤカードの挿入口（図示せず）に挿入されることにより、カード装置１００と電子設備との間の電気的な接続が実現され、即ち、カード装置１００の第１機能が達成できる。
【００１９】
また、使用者がスライド部材２２をスリット２１１６の第２当接壁２１１８に当接させ、この時、スライド部材２２の水平部２２３１の接触面２２３２が前記基板１２の上斜面１２３１に分離し、スライド部材２２の内斜面２２３４が第２ベース体２１の第１斜面２１３１に当接することにより、スライド部材２２が第２当接壁２１１８に保持される。このとき、前記回転部材２はヒンジ構造３の第１係合軸部３２と第２係合軸部３３とを回転軸として、前記保持部材１に対して下向きに回転可能になり、これによって、第２対接界面即ちＵＳＢプラグが露出されて電子設備のＵＳＢソケットに挿入することにより、カード装置１００と電子設備との間に電気的な接続を実現し、即ち、カード装置１００の第２機能が達成できる。
【００２０】
本実施形態においてのカード装置１００は、回転部材２にはスリット２１１６で摺動可能なスライド部材２２が取付けられ、かつ、スライド部材２２には前記第２対接界面に対応した水平部２２３１を設けられ、スライド部材２２の水平部２２３１と前記第２対接界面との間で摩擦し移動することにより、第２対接界面を保護し、カード装置の使用時間を伸ばすことができる。
【００２１】
以上、本考案について最良の実施の形態を参照して詳細に説明したが、実施形態はあくまでも例示的なものであり、これらに限定されるものではない。また上述の説明は、本考案に基づきなし得る細部の修正或は変更など、いずれも本発明の請求範囲に属するものとする。
【図面の簡単な説明】
【００２２】
【図１】本考案に係るカード装置の組立斜視図である。
【図２】図１に示すカード装置の他の角度から見た組立斜視図である。
【図３】本考案に係るカード装置の部分の分解斜視図であり、第１カバーと第２カバーが外される分解斜視図である。
【図４】本考案に係るカード装置の部分の分解斜視図であり、第１カバーと第２カバーと基板が外される分解斜視図である。
【図５】図４に示すカード装置の他の角度から見た分解斜視図である。
【図６】本考案に係るカード装置の部分の組立斜視図である。
【図７】本考案に係るカード装置のスライド部材の斜視図である。
【図８】図１に示すカード装置のVIII−VIII線に沿っての断面図である。
【図９】図６に示すカード装置の破線で示す箇所の拡大図である。
【図１０】本考案に係るカード装置の回転部材が保持部材に対して回転した組立斜視図である。
【符号の説明】
【００２３】
１  保持部材
２  回転部材
３  ヒンジ構造
１１  第１ベース体
１２  基板
１３  第１カバー
２１  第２ベース体
２２  スライド部材
２３  第２カバー
３１  主体部
３２  第１係合軸部
３３  第２係合軸部
１００  カード装置
１１１  第１壁
１１２  第２壁
１１３  側壁
１１４  側壁
１２１  基部
１２２  延出部
１２３  末端部
１３１  第１頂壁
１３２  第１底壁
１３３  側壁
１３４  側壁
２１１  第２上壁
２１２  第２下壁
２１３  凸部
２２１  本体部
２２２  操作部
２２３  凸状部
２３１  延出アーム
２３２  連接部
１１１１  第１凹部
１１１２  第１通溝
１１１３  突出部
１１１４  第１係合溝
１１３１  開口部
１１４１  開口部
１２１１  メモリーチップ
１２１２  第１導電パッド
１２２２  第２導電パッド
１２３１  上斜面
１２３２  下斜面
１３１１  通孔
１３２２  凸状リブ
１３３１  凹部
１３４１  凹部
２１１１  第２凹部
２１１２  第２通溝
２１１３    突出部
２１１４  第２係合溝
２１１５  位置決め孔
２１１６  スリット
２１１７  第１当接壁
２１１８  第２当接壁
２１３１  第１斜面
２１３２  第２斜面
２２１１  頂面
２２１２  底面
２２１３  先端面
２２３１  水平部
２２３２  接触面
２２３３  垂直部
２２３４  内斜面
２２３５  収容部
２２３６  係合面
２２３７  外斜面
２３１１  通孔
２３１２  位置決め柱
２３２１  係合溝
【図１】
0003130882.tif 000003
【図２】
0003130882.tif 000004
【図３】
0003130882.tif 000005
【図４】
0003130882.tif 000006
【図５】
0003130882.tif 000007
【図６】
0003130882.tif 000008
【図７】
0003130882.tif 000009
【図８】
0003130882.tif 000010
【図９】
0003130882.tif 000011
【図１０】
0003130882.tif 000012